(57)【要約】【課題】従来品に代わる新規な喉頭マスクを提供する。【解決手段】本発明による喉頭マスク気道管は管状の軸1を有し、軸1は、その患者側端部に固定したマスク部分5を有する。マスク部分はPVC製の取付部材50および、この取付部材の縁部周りに固定した膨張性のカフ60を具える。取付部材50およびカフ60の後面には親水性のポリマーまたはコポリマーの被覆80を設けており、この被覆は患者への気道管の挿入を容易にするために、被覆を湿らせた時にマスクを滑り易くするためのものである。【選択図】図１
2004073863.tif 000002
【特許請求の範囲】
【請求項１】
　高分子化合物製のマスク部分(5)を有する喉頭マスク気道管であって、
　当該マスク部分の患者側端部の少なくとも後面に親水性材料(80)を被覆し、それによって前記患者側端部の後面を、患者の体内で、あるいは水溶性媒質で処理した後のいずれかにおいて湿らせたときに滑り易くすることを特徴とする喉頭マスク気道管。
【請求項２】
　請求項１記載の気道管において、
　前記マスク部分(5)がPVC製であることを特徴とする喉頭マスク気道管。
【請求項３】
　請求項１または２記載の気道管において、
　前記親水性材料(80)がポリマーまたはコポリマー製であることを特徴とする喉頭マスク気道管。
【請求項４】
　請求項１〜３のいずれか１項記載の気道管において、
　前記親水性材料(80)を、ポリビニールピロリデン、ポリウレタン、ポリビニールアルコールおよびポリエチレングリコールを具える組から選択することを特徴とする喉頭マスク気道管。
【発明の詳細な説明】
【技術分野】
【０００１】
　本発明は、高分子材料製のマスク部分を有する種類の喉頭マスク気道管に関するものである。
【背景技術】
【０００２】
　喉頭マスク気道管は、手術中に患者の通気や麻酔ガスの供給のために用いられる。喉頭マスク気道管は、気管内へ延在して声帯を越えて終端する気管内チューブとは異なるものである。これに比べて喉頭マスク気道管は略楕円形のマスクまたはカフの中央部へと開口する管状の軸を有し、カフは気管の頂部にある下咽頭部の領域をシールするために膨張する。カフは、その内部と連通する小径の膨張管を通して供給される空気によって膨張する。喉頭マスクは、例えば米国特許第5355879号（特許文献1）、米国特許第5305743号（特許文献2）、米国特許第5297547号（特許文献3）、米国特許第5282464号（特許文献4）、英国特許第2267034号（特許文献5）、米国特許第5249571号（特許文献6）、米国特許第5241956号（特許文献7）、米国特許第5303697号（特許文献8）、英国特許第2317830号（特許文献9）、英国特許第2249959号（特許文献10）、英国特許第2111394号（特許文献11）、欧州特許第448878号（特許文献12）、米国特許第4995388号（特許文献13）、英国特許第2205499号（特許文献14）、英国特許第2128561号（特許文献15）、英国特許第2298797号（特許文献16）、英国特許第2321854号（特許文献17）、英国特許第2334215号（特許文献18）、英国特許第2323289号（特許文献19）、英国特許第2323290号（特許文献20）、英国特許第2318735号（特許文献21）、英国特許第2330312号（特許文献22）、国際特許出願公開WO01/13980号（特許文献23）、欧州特許第1207927号（特許文献24）、英国特許第2337020号（特許文献25）、英国特許第2334215号（特許文献26）、英国特許第2331932号（特許文献27）、英国特許第2354950号（特許文献28）、英国特許第2359996号（特許文献29）、英国特許出願第0201958.6号（特許文献30）、英国特許出願第0201094.0号（特許文献31）、英国特許出願第0127184.0号（特許文献32）に記載されている。
【０００３】
　喉頭マスクの患者側端部は比較的大きく、またマスクの後面を患者への導入のために咽頭部の後壁に沿って滑り込ませる必要があるため、幾つかの方法でマスクを潤滑させるのが通例である。マスクがシリコーンゴム製の場合、材料を湿らせて滑り易くするために、しばしば水を噴霧して潤滑する。マスクがPVCまたは他の材料の場合、マスクの患者への挿入直前に、表面全体に潤滑用ゼリーを塗布することにより潤滑しても良い。
【特許文献１】米国特許第5355879号明細書
【特許文献２】米国特許第5305743号明細書
【特許文献３】米国特許第5297547号明細書
【特許文献４】米国特許第5282464号明細書
【特許文献５】英国特許第2267034号明細書
【特許文献６】米国特許第5249571号明細書
【特許文献７】米国特許第5241956号明細書
【特許文献８】米国特許第5303697号明細書
【特許文献９】英国特許第2317830号明細書
【特許文献１０】英国特許第2249959号明細書
【特許文献１１】英国特許第2111394号明細書
【特許文献１２】欧州特許第448878号明細書
【特許文献１３】米国特許第4995388号明細書
【特許文献１４】英国特許第2205499号明細書
【特許文献１５】英国特許第2128561号明細書
【特許文献１６】英国特許第2298797号明細書
【特許文献１７】英国特許第2321854号明細書
【特許文献１８】英国特許第2334215号明細書
【特許文献１９】英国特許第2323289号明細書
【特許文献２０】英国特許第2323290号明細書
【特許文献２１】英国特許第2318735号明細書
【特許文献２２】英国特許第2330312号明細書
【特許文献２３】国際特許出願公開WO01/13980号
【特許文献２４】欧州特許第1207927号明細書
【特許文献２５】英国特許第2337020号明細書
【特許文献２６】英国特許第2334215号明細書
【特許文献２７】英国特許第2331932号明細書
【特許文献２８】英国特許第2354950号明細書
【特許文献２９】英国特許第2359996号明細書
【特許文献３０】英国特許出願第0201958.6号明細書
【特許文献３１】英国特許出願第0201094.0号明細書
【特許文献３２】英国特許出願第0127184.0号明細書
【特許文献３３】英国特許第2323291号明細書
【発明の開示】
【発明が解決しようとする課題】
【０００４】
　本発明の目的は、従来品に代わる新規な喉頭マスクを提供することにある。
【課題を解決するための手段】
【０００５】
　本発明により、上述したような種類の喉頭マスク気道管が提供され、この喉頭マスク気道管は、マスク部分の患者側端部の少なくとも後面に親水性材料を被覆し、それによって前記患者側端部の後面を、患者の体内で、あるいは水溶性媒質で処理した後のいずれかにおいて湿らせたときに滑り易くすることを特徴とするものである。
【０００６】
　マスク部分はPVC製であることが望ましく、親水性材料はポリマーまたはコポリマーであることが望ましい。親水性材料は、ポリビニールピロリデン、ポリウレタン、ポリビニールアルコールおよびポリエチレングリコールを具える組から選択することができる。
【発明を実施するための最良の形態】
【０００７】
　ここで本発明による喉頭マスク気道管を、添付図面を参照して例示によって説明する。
【０００８】
　本発明に係る気道管はPVC製の湾曲した管または軸1を含み、この管または軸は、その外面かつカーブの内側に沿って延在する溝の形を取るチャンネル2を有する。軸1は押出成形または金型成形によって製造することが望ましく、また金属あるいはプラスチック製の螺旋状要素を埋め込むことにより補強することが望ましい。患者側端部3において、軸1にはマスク部5を取り付ける。
【０００９】
　マスク部5は、比較的硬質であるが柔軟性を有するPVC製の取付部材50および、この取付部材に取り付けた、同様にPVC製の膨張性カフ60を具える。取付部材50は中空かつ略靴形をなし、上部または当該取付部材の後部、左側または装置側端部に向けて後部に配置した管状の延長部またはカラー51を有する。軸1の患者側端部3はカラー51の一端の内部へ接着される。カラー51のもう一方の端部取付部材50の中央の窪みまたはアトリウム54内へと開口している。アトリウム54の屋根部40の内側前方の表面は横方向にアーチ形をなすが、実質的には、長手方向の中心線に沿って直線状またはわずかに凹状となっている。屋根部40は、この屋根部を越える喉頭蓋の自由な動きを邪魔するような、いかなる表面上の突起や形成物にも妨害されない。平面で見ると、取付部材50は楕円形をなし、下側または前側部分53はカラー51の患者側端部3の軸線に対して約30°の角度で延在する平面上に位置する。溝の形を取るチャンネル55は、軸1に沿う溝2に沿って取付部材50の内側に沿って延在し、孔56を通してカフ60内へ開口する。
【００１０】
　カフ60は、例えば英国特許第2323291号（特許文献33）または英国特許第2321854号（特許文献17）に記載されているような従来の形式で製造しても良い。図面ではカフ60は模式的にのみ示しているが、このカフ60は管状で楕円形状をなし、取付部材50の前方端面53に取り付けられ、また、アトリウム54内へ開口する中央開口部61を有している。カフ60は薄くて可撓性を有するプラスチック材料から作られており、それによって挿入のために小さい外形に収縮させることができ、また正しく位置決めしたときに組織の周囲をシールするために膨張させることができる。
【００１１】
　一般に、管状部1の患者側端部は開口部61の後側部62の後方、すなわち、気道管の装置側端部に向かう側に配置するものであり、シール用カフの幅方向に亘るほぼ中間位置に配置することが望ましい。管と取付部材を分離した部品とする代わりに、これらを一体成形部品として供給することもでき、管状部の内径が増加する箇所は、この管状部の患者側端部とみなす。
【００１２】
　カフ60は膨張管70によって膨張および収縮し、この膨張管は軸1の溝2に沿って延在する小径の可撓性プラスチック管の形を取る。
【００１３】
　ここまで述べた限り、喉頭マスク気道管は従来型のものである。本マスクは被覆80をも含み、この被覆はポリビニールピロリデン、ポリウレタン、ポリビニールアルコール、ポリエチレングリコールおよび他のポリマーまたはコポリマーのような硬質の親水性材料からなる。被覆80は少なくとも気道管の後面を越えて前端部へと延在する。特に、被覆80は取付部材50およびカフ60の後面、すなわち、挿入中に喉頭部の後壁と接触する表面を越えて延在する。この他、被覆を気道管全体に施すことも可能である。この被覆は気道管の製造中に施すものであり、それによって気道管を被覆が乾燥した形で使用者に供給することとなる。使用直前に、使用者は気道管の患者側端部に水を吹き付けるものとし、それによって被覆80が湿潤して滑りやすく、あるいは滑らかになる。このことは、気道管を、潤滑用ゼリーを使用する必要無しに所定位置に容易に滑り込ませるものとなる。挿入前に気道管を湿らせる必要が無いものとしても良い。なぜならば、患者体内の水分によって被覆が湿ることとなるからである。
【００１４】
　種々の異なる形式の被覆が使用可能であることが理解できよう。被覆を施す必要があるのは挿入中に患者の組織上を滑る表面のみであるとしても、被覆は気道管の全面に施すことができる。軸およびマスク部をPVC製とする必要は無いが、他の高分子材料製とすることが可能である。
【図面の簡単な説明】
【００１５】
【図１】気道管の斜視図である。
【図２】気道管の断面を示す側立面図である。
【符号の説明】
【００１６】
　1　軸
　2　チャンネル
　3　患者側端部
　5　マスク部
　40　アトリウムの屋根部
　50　取付部材
　51　カラー
　53　取付部材の前側部分
　54　アトリウム
　55　チャンネル
　56　孔
　60　カフ
　61　中央開口部
　62　中央開口部の後側部
　70　膨張管
　80　被覆
【図１】
2004073863.tif 000003
【図２】
2004073863.tif 000004